(57)【要約】【課題】コンテンツに追加した画像によるコミュニケーションの円滑化・効率化を図ることができる情報処理システムを提供することを課題とする。【解決手段】複数台の端末装置を含む情報処理システムであって、第１の端末装置は、コンテンツを表示する表示手段と、追加画像を保存する追加画像保存手段と、表示されているコンテンツ上に追加画像を追加する追加画像編集手段と、コンテンツを追加画像を追加したユーザを識別可能な情報と共に配布先に配布する配布処理手段とを有し、一台以上の第２の端末装置は、第１の端末装置から配布されたコンテンツを表示する表示手段と、追加画像を追加したユーザを識別可能な情報が、第２の端末装置の操作者を識別可能な情報と一致する場合に、表示されているコンテンツ上に追加された追加画像に対する編集操作を受け付ける追加画像編集手段と、を有することで上記課題を解決する。【選択図】  図１
2017097792.tif 000002
【特許請求の範囲】
【請求項１】
コンテンツの閲覧が可能な複数台の端末装置を含む情報処理システムであって、
前記複数台の端末装置に含まれる第１の端末装置は、
コンテンツを表示する第１のコンテンツ表示手段と、
登録されている追加画像を保存する追加画像保存手段と、
前記第１のコンテンツ表示手段により表示されている前記コンテンツ上に前記追加画像を追加する追加画像編集手段と、
前記追加画像が追加された前記コンテンツを、前記追加画像を追加したユーザを識別可能な情報と共に配布先に配布する配布処理手段と、
を有し、
前記複数台の端末装置に含まれる一台以上の第２の端末装置は、
前記第１の端末装置から配布された前記追加画像が追加された前記コンテンツを表示する第２のコンテンツ表示手段と、
前記第１の端末装置から配布された前記追加画像を追加したユーザを識別可能な情報が、前記第２の端末装置の操作者を識別可能な情報と一致する場合に、前記第２のコンテンツ表示手段により表示されている前記コンテンツ上に追加された前記追加画像に対する編集操作を受け付ける第２の追加画像編集手段と、
を有する
ことを特徴とする情報処理システム。
【請求項２】
前記第２の追加画像編集手段は、前記第１の端末装置から配布された前記追加画像を追加したユーザを識別可能な情報が、前記第２の端末装置の操作者を識別可能な情報と一致しない場合に、前記第２のコンテンツ表示手段により表示されている前記コンテンツ上に追加された前記追加画像に対する編集操作の要求を受け付けると前記追加画像を追加したユーザを識別可能な情報の表示を行う一方で、前記編集操作の要求を受け付けた前記追加画像に対する編集操作を受け付けないこと
を特徴とする請求項１記載の情報処理システム。
【請求項３】
前記第１の端末装置は、
記憶部に記憶されている写真データを前記追加画像として登録する追加画像登録手段
を更に有する請求項１又は２記載の情報処理システム。
【請求項４】
前記第１の端末装置は、
前記コンテンツの保管先から前記コンテンツを取り込んで記憶部に記憶させるコンテンツ取り込み手段
を更に有し、
前記追加画像登録手段は、前記コンテンツに含まれる画像データを前記追加画像として登録すること
を特徴とする請求項３記載の情報処理システム。
【請求項５】
前記配布処理手段は、前記追加画像を扱うことのできる所定のアプリケーション以外のアプリケーションに、前記追加画像を削除して前記コンテンツを配布すること
を特徴とする請求項１乃至４何れか一項記載の情報処理システム。
【請求項６】
前記ユーザを識別可能な情報および前記操作者を識別可能な情報はそれぞれ、装置を識別可能な情報であること
を特徴とする請求項１乃至５何れか一項記載の情報処理システム。
【請求項７】
コンテンツの閲覧が可能な端末装置であって、
コンテンツを表示するコンテンツ表示手段と、
登録されている追加画像を保存する追加画像保存手段と、
前記コンテンツ表示手段により表示されている前記コンテンツ上に前記追加画像を追加する追加画像編集手段と、
前記追加画像が追加された前記コンテンツを、前記追加画像を追加したユーザを識別可能な情報と共に配布先に配布する配布処理手段と、
を有し、
前記追加画像編集手段は、前記追加画像を追加したユーザを識別可能な情報が操作者を識別可能な情報と一致する場合に、前記コンテンツ上に追加されている前記追加画像に対する編集操作受け付ける
ことを特徴とする端末装置。
【請求項８】
コンテンツの閲覧が可能な端末装置を、
コンテンツを表示するコンテンツ表示手段、
登録されている追加画像を保存する追加画像保存手段、
前記コンテンツ表示手段により表示されている前記コンテンツ上に前記追加画像を追加する追加画像編集手段、
前記追加画像が追加された前記コンテンツを、前記追加画像を追加したユーザを識別可能な情報と共に配布先に配布する配布処理手段、
として機能させ、
前記追加画像編集手段は、前記追加画像を追加したユーザを識別可能な情報が操作者を識別可能な情報と一致する場合に、前記コンテンツ上に追加されている前記追加画像に対する編集操作受け付ける
ことを特徴とするプログラム。
【請求項９】
コンテンツの閲覧が可能な複数台の端末装置を含む情報処理システムが実行する画像付与方法であって、
前記複数台の端末装置に含まれる第１の端末装置が、
コンテンツを表示する第１のコンテンツ表示ステップと、
登録されている追加画像を、表示されている前記コンテンツ上に追加する追加画像編集ステップと、
前記追加画像が追加された前記コンテンツを、前記追加画像を追加したユーザを識別可能な情報と共に配布先に配布する配布処理ステップと、
前記複数台の端末装置に含まれる一台以上の第２の端末装置が、
前記第１の端末装置から配布された前記追加画像が追加された前記コンテンツを表示する第２のコンテンツ表示ステップと、
前記第１の端末装置から配布された前記追加画像を追加したユーザを識別可能な情報が、前記第２の端末装置の操作者を識別可能な情報と一致する場合に、表示されている前記コンテンツ上に追加された前記追加画像に対する編集操作を受け付ける第２の追加画像編集ステップと、
を有する
ことを特徴とする画像付与方法。
【発明の詳細な説明】
【技術分野】
【０００１】
本発明は情報処理システム、端末装置、プログラム及び画像付与方法に関する。
【背景技術】
【０００２】
近年、通信機能を有する複数の情報処理装置間で画面情報をリアルタイムに送受信して表示画面を共有する技術が知られるようになった。このような技術は、共通する資料を複数の参加者が閲覧しながら議論を行う会議などで利用される。
【０００３】
例えば画面共有機能を有する画面共有サービス提供システムが従来からある。従来の画面共有サービス提供システムは、同一コンテンツが画面に表示された情報処理装置間において、操作権を有する情報処理装置が、入力操作に応じた操作情報を、他の情報処理装置へと送信する。そして、従来の画面共有サービス提供システムは、他の情報処理装置が、受信した操作情報に従って、送信側の入力操作を画面上に再現する（例えば特許文献１参照）。
【発明の概要】
【発明が解決しようとする課題】
【０００４】
一方で、紙を用いたコミュニケーションの一つの形態として、紙に対して視覚的に分かり易い画像（例えばスタンプの押印など）を追加することで、資料の内容、評価又は状態などを一目で分かり易くすることが行われている。資料の評価には、例えば「たいへんよくできました」や「もう少しがんばりましょう」などがある。資料の状態には「ＤＲＡＦＴ」や「ＦＩＮＡＬ」や「ＵＲＧＥＮＴ」などがある。このように、紙に対して行う視覚的に分かり易い画像の追加は、画像を追加した自分が分かり易くするためや、他の人に対して何らかの意図を伝えるために行われていた。
【０００５】
したがって、資料などのコンテンツの表示画面を共有する情報処理システムにおいても視覚的に分かり易い画像を追加することで、コミュニケーションを円滑化・効率化することが求められている。
【０００６】
しかし、視覚的に分かり易い画像の追加を、他の人に対して何らかの意図を伝えるために行う場合は、追加した画像を、その画像を追加した人以外も自由に編集できるようにすると、コミュニケーションを円滑化・効率化を図れない場合がある。一方で、視覚的に分かり易い画像の追加を、他の人に対して何らかの意図を伝えるために行う場合は、追加した画像を、その画像を追加した人が自由に編集できることが、コミュニケーションを円滑化・効率化を図るために望ましい。
【０００７】
このように、視覚的に分かり易い画像の追加を、他の人に対して何らかの意図を伝えるために行う場合は、追加した画像の編集を行うことのできる人を例えば画像を追加した人などに制限したい場合があった。
【０００８】
本発明の実施の形態は、上記の点に鑑みなされたもので、コンテンツに追加した画像によるコミュニケーションの円滑化・効率化を図ることができる情報処理システムを提供することを目的とする。
【課題を解決するための手段】
【０００９】
上記した目的を達成するため、本願請求項１は、コンテンツの閲覧が可能な複数台の端末装置を含む情報処理システムであって、前記複数台の端末装置に含まれる第１の端末装置は、コンテンツを表示する第１のコンテンツ表示手段と、登録されている追加画像を保存する追加画像保存手段と、前記第１のコンテンツ表示手段により表示されている前記コンテンツ上に前記追加画像を追加する追加画像編集手段と、前記追加画像が追加された前記コンテンツを、前記追加画像を追加したユーザを識別可能な情報と共に配布先に配布する配布処理手段と、を有し、前記複数台の端末装置に含まれる一台以上の第２の端末装置は、前記第１の端末装置から配布された前記追加画像が追加された前記コンテンツを表示する第２のコンテンツ表示手段と、前記第１の端末装置から配布された前記追加画像を追加したユーザを識別可能な情報が、前記第２の端末装置の操作者を識別可能な情報と一致する場合に、前記第２のコンテンツ表示手段により表示されている前記コンテンツ上に追加された前記追加画像に対する編集操作を受け付ける第２の追加画像編集手段と、を有することを特徴とする。
【発明の効果】
【００１０】
本発明の実施の形態によれば、コンテンツに追加した画像によるコミュニケーションの円滑化・効率化を図ることができる。
【図面の簡単な説明】
【００１１】
【図１】第１の実施形態に係る情報処理システムの一例の構成図である。
【図２】コンピュータの一例のハードウェア構成図である。
【図３】第１の実施形態に係る端末装置の一例の機能ブロック図である。
【図４】付与スタンプ情報の一例の構成図である。
【図５】登録スタンプ情報の一例の構成図である。
【図６】第１の実施形態に係るコンテンツ閲覧画面における処理の一例のフローチャートである。
【図７】コンテンツ閲覧画面の一例のイメージ図である。
【図８】スタンプの一覧画像が表示されたコンテンツ閲覧画面の一例のイメージ図である。
【図９】スタンプ編集処理中のコンテンツ閲覧画面の一例のイメージ図である。
【図１０】スタンプ編集処理の一例のフローチャートである。
【図１１】エラー表示がされたコンテンツ閲覧画面の一例のイメージ図である。
【図１２】デフォルトスタンプの一例のイメージ図である。
【図１３】スタンプ一覧画面の一例のイメージ図である。
【図１４】フォトライブラリの画像を自作スタンプとして登録する画像一覧画面の一例のイメージ図である。
【図１５】受信したコンテンツに含まれる画像を自作スタンプとして登録する画像一覧画面の一例のイメージ図である。
【図１６】スタンププレビュー画面の一例のイメージ図である。
【図１７】コンテンツ閲覧画面のコンテンツ配布ボタンの一例について説明する図である。
【図１８】コンテンツ配布画面の一例のイメージ図である。
【図１９】他のアプリケーションへのコンテンツ出力処理の一例のフローチャートである。
【発明を実施するための形態】
【００１２】
次に、本発明を実施するための形態について、詳細に説明する。
［第１の実施形態］
＜システム構成＞
図１は第１の実施形態に係る情報処理システムの一例の構成図である。図１の情報処理システム１は、情報処理装置１０、端末装置１２Ａ、端末装置１２Ｂを有する構成を一例として示している。なお、端末装置１２Ａ及び端末装置１２Ｂの何れでもよい場合には端末装置１２と総称する。
【００１３】
情報処理装置１０はコンテンツを保管しているコンピュータである。コンテンツは電子文書ファイルや画像ファイル、アプリケーションファイルなど、端末装置１２で表示が可能な電子データであればよい。情報処理装置１０はサーバ装置やＰＣなどである。情報処理装置１０はインターネットやＬＡＮ等のネットワークＮ１を介して端末装置１２Ａに接続されている。
【００１４】
情報処理装置１０は、ＯＳの共有フォルダ、アプリケーションのファイル共有機能、ドキュメントサーバ機能などにより、端末装置１２Ａに対してコンテンツの検索機能や閲覧機能を提供する。また、情報処理装置１０は端末装置１２Ａからのコンテンツの取り込み要求に対し、コンテンツを端末装置１２Ａに送信する。
【００１５】
端末装置１２Ａは情報処理装置１０から受信したコンテンツを保存し、後述のスタンプの押下などのスタンプの編集処理を行うコンピュータである。端末装置１２ＡはＰＣやタブレット端末、スマートフォン、携帯電話、ＰＤＡなどの携帯端末、ウェアラブル端末や電子ホワイトボードなどである。端末装置１２ＡはＢｌｕｅｔｏｏｔｈ（登録商標）などの短距離無線通信等によるネットワークＮ２を介して端末装置１２Ｂと接続されている。
【００１６】
端末装置１２Ａはユーザにより選択された端末装置１２Ｂにコンテンツを配布する機能を有する。端末装置１２Ａは端末装置１２Ｂに導入済みのスタンプを扱うことのできるアプリケーションに対して、スタンプが付与された状態でコンテンツを配布する。端末装置１２Ａは端末装置１２Ｂに導入済みのスタンプを扱うことのできるアプリケーション以外に対して、スタンプが削除された状態でコンテンツを配布する。
【００１７】
端末装置１２Ｂは端末装置１２Ａから配布されたコンテンツを表示し、ユーザに閲覧させるコンピュータである。端末装置１２ＢはＰＣやタブレット端末、スマートフォン、携帯電話、ＰＤＡなどの携帯端末、ウェアラブル端末や電子ホワイトボードなどである。端末装置１２Ｂは端末装置１２Ａから配布されたコンテンツを保存し、後述のスタンプの押下などのスタンプの編集処理を行うこともできる。端末装置１２Ｂで行うスタンプの編集処理では、端末装置１２Ａで付与されたスタンプに対して編集できないが、新たなスタンプの付与や、端末装置１２Ｂで付与したスタンプに対して編集できる。
【００１８】
以下、端末装置１２には例えばスタンプを扱うことのできるアプリケーションの一例としてコンテンツ閲覧アプリケーションが導入済みであるものとして説明する。なお、図１の情報処理システム１ではネットワークＮ１とネットワークＮ２とを区別して記載しているが、同一のネットワークとしてもよい。この場合、端末装置１２ＢもネットワークＮ１に接続される。また、ネットワークＮ２は短距離無線通信に限定されず、無線ＬＡＮなどの他の通信を利用するものであってもよい。
【００１９】
＜ハードウェア構成＞
情報処理装置１０及び端末装置１２は例えば図２に示すようなハードウェア構成のコンピュータにより実現される。図２はコンピュータの一例のハードウェア構成図である。
【００２０】
図２に示したコンピュータ１００は、入力装置１０１、表示装置１０２、外部Ｉ／Ｆ１０３、ＲＡＭ１０４、ＲＯＭ１０５、ＣＰＵ１０６、通信Ｉ／Ｆ１０７、及びＨＤＤ１０８などを備え、それぞれがバスＢで相互に接続されている。なお、入力装置１０１及び表示装置１０２は必要なときに接続して利用する形態であってもよい。
【００２１】
入力装置１０１はキーボードやマウス、タッチパネルなどを含み、ユーザが各操作信号を入力するのに用いられる。表示装置１０２はディスプレイ等を含み、コンピュータ１００による処理結果を表示する。
【００２２】
通信Ｉ／Ｆ１０７はコンピュータ１００を各種ネットワークに接続するインタフェースである。これにより、コンピュータ１００は通信Ｉ／Ｆ１０７を介してデータ通信を行うことができる。
【００２３】
また、ＨＤＤ１０８は、プログラムやデータを格納している不揮発性の記憶装置の一例である。格納されるプログラムやデータには、コンピュータ１００全体を制御する基本ソフトウェアであるＯＳ、及びＯＳ上において各種機能を提供するアプリケーションなどがある。なお、コンピュータ１００はＨＤＤ１０８に替え、記憶媒体としてフラッシュメモリを用いるドライブ装置（例えばソリッドステートドライブ：ＳＳＤ）を利用するものであってもよい。
【００２４】
外部Ｉ／Ｆ１０３は、外部装置とのインタフェースである。外部装置には、記録媒体１０３ａなどがある。これにより、コンピュータ１００は外部Ｉ／Ｆ１０３を介して記録媒体１０３ａの読み取り及び／又は書き込みを行うことができる。記録媒体１０３ａにはフレキシブルディスク、ＣＤ、ＤＶＤ、ＳＤメモリカード、ＵＳＢメモリなどがある。
【００２５】
ＲＯＭ１０５は、電源を切ってもプログラムやデータを保持することができる不揮発性の半導体メモリ（記憶装置）の一例である。ＲＯＭ１０５にはコンピュータ１００の起動時に実行されるＢＩＯＳ、ＯＳ設定、及びネットワーク設定などのプログラムやデータが格納されている。ＲＡＭ１０４はプログラムやデータを一時保持する揮発性の半導体メモリ（記憶装置）の一例である。
【００２６】
ＣＰＵ１０６は、ＲＯＭ１０５やＨＤＤ１０８などの記憶装置からプログラムやデータをＲＡＭ１０４上に読み出し、処理を実行することで、コンピュータ１００全体の制御や機能を実現する演算装置である。情報処理装置１０、端末装置１２は例えば上記のハードウェア構成のコンピュータ１００上でプログラムを実行することにより、後述するような各種処理を実現できる。なお、ＣＰＵ１０６は複数のＣＰＵ１０６で構成されていてもよい。
【００２７】
＜ソフトウェア構成＞
本実施形態に係る情報処理システム１の端末装置１２は、例えば図３に示すような機能ブロックで実現される。図３は第１の実施形態に係る端末装置の一例の機能ブロック図である。端末装置１２はプログラムを実行することで、コンテンツ一覧表示部２０、コンテンツ取り込み部２２、コンテンツ表示部２４、スタンプ編集部２６、自作スタンプ登録部２８、保存コンテンツ配布処理部３０、コンテンツ保存部３２、スタンプ保存部３４及び保管先保存部３６を実現する。
【００２８】
コンテンツ一覧表示部２０はコンテンツ一覧を表示する処理を行う。コンテンツ一覧表示部２０により表示されるコンテンツ一覧には、端末装置１２がコンテンツ保存部３２に保存しているコンテンツの他、保管先に保存されているコンテンツも含まれる。コンテンツ一覧表示部２０は、保管先保存部３６に保存されている保管先の情報に基づき、保管先に保存されているコンテンツ一覧を取得できる。
【００２９】
コンテンツ取り込み部２２はコンテンツ一覧からユーザが取り込みを指定した保管先に保存されているコンテンツを、保管先の情報処理装置１０から受信する。コンテンツ取り込み部２２は受信したコンテンツをコンテンツ保存部３２に保存する。コンテンツ表示部２４はユーザにより選択されたコンテンツを後述のコンテンツ閲覧画面に表示する処理を行う。
【００３０】
スタンプ編集部２６はコンテンツ閲覧画面に表示されたコンテンツに対するスタンプの押下や削除などのユーザからの指示に基づき、スタンプ編集処理を行う。なお、コンテンツに付与されたスタンプに対する編集処理は、そのスタンプを付与したユーザが行うことができる。このように、コンテンツに付与されたスタンプに対する編集処理は、そのスタンプを付与したユーザ以外の他のユーザが行うことはできない。
【００３１】
スタンプ編集部２６によりコンテンツに付与されるスタンプはスタンプ保存部３４に保存されている。スタンプ保存部３４に保存されているスタンプは、コンテンツ閲覧アプリケーションにプリインストールされているデフォルトスタンプの他、ユーザが登録した自作スタンプも含まれる。自作スタンプ登録部２８は、ユーザからの指示に基づき、自作スタンプをスタンプ保存部３４に登録する処理を行う。
【００３２】
保存コンテンツ配布処理部３０はユーザからの指示に基づき、コンテンツ保存部３２に保存されているコンテンツを他の端末装置１２に配布する処理を行う。例えば図１の情報処理システム１では端末装置１２Ａの保存コンテンツ配布処理部３０が端末装置１２Ｂにコンテンツを配布する処理を行う。端末装置１２Ｂのコンテンツ閲覧アプリケーションにコンテンツを配布する場合、端末装置１２Ａの保存コンテンツ配布処理部３０はスタンプが付与された状態のコンテンツ及び後述の付与スタンプ情報を配布する。一方、端末装置１２Ｂのコンテンツ閲覧アプリケーション以外にコンテンツを配布する場合、端末装置１２Ａの保存コンテンツ配布処理部３０は、スタンプが削除された状態のコンテンツを配布する。
【００３３】
＜データ構成＞
コンテンツ保存部３２にはコンテンツの電子データの他、コンテンツに付与されたスタンプに関する情報（付与スタンプ情報）が保存されている。図４は付与スタンプ情報の一例の構成図である。図４の付与スタンプ情報はコンテンツ名、スタンプＩＤ、付与者、付与日時、位置、倍率を含む構成である。
【００３４】
コンテンツ名は、コンテンツのファイル名などのコンテンツを識別可能な情報の一例である。スタンプＩＤはコンテンツに付与されたスタンプを一意に識別する識別情報の一例である。付与者はコンテンツにスタンプを付与したユーザを識別可能な情報である。なお、付与者が示す情報はユーザを識別する識別情報以外にユーザが使用する端末装置１２を識別可能な識別情報も含まれる。付与日時はコンテンツにスタンプが付与された日時の情報である。位置はスタンプが付与されたコンテンツ上の位置を表す情報である。倍率はコンテンツに付与されたスタンプの大きさを表す情報の一例である。図４の付与スタンプ情報により、スタンプ編集部２６はコンテンツにスタンプを付与したユーザをスタンプ毎に識別できる。
【００３５】
また、スタンプ保存部３４には図５のような登録スタンプ情報が保存されている。図５は登録スタンプ情報の一例の構成図である。図５の登録スタンプ情報はスタンプＩＤ、スタンプ画像ファイルパス、デフォルトスタンプフラグを含む構成である。
【００３６】
スタンプＩＤはスタンプを一意に識別する識別情報の一例である。スタンプ画像ファイルパスはスタンプの画像ファイルなど、スタンプを表示可能な電子データの保存場所を表す情報である。デフォルトスタンプフラグは、そのスタンプがデフォルトスタンプであるか自作スタンプであるかを識別するための情報である。
【００３７】
図５に示した登録スタンプ情報により、スタンプ編集部２６はコンテンツに付与できるスタンプの電子データを保存場所から取得できる。また、図５に示した登録スタンプ情報により自作スタンプ登録部２８は、デフォルトスタンプ以外の登録した自作スタンプを削除する処理を実現できる。
【００３８】
＜処理の詳細＞
以下、第１の実施形態に係る情報処理システム１の処理の詳細について説明する。
【００３９】
《コンテンツの保管先の登録》
端末装置１２はユーザからコンテンツの保管先の登録を受け付ける。端末装置１２はＯＳの共有フォルダの設定により、情報処理装置１０のフォルダをコンテンツの保管先として登録できる。また、アプリケーションのファイル共有機能、ドキュメントサーバ機能の設定により、情報処理装置１０のフォルダをコンテンツの保管先として登録できる。端末装置１２はユーザにより登録されたコンテンツの保管先の情報を保管先保存部３６に保存する。
【００４０】
《保管先からのコンテンツの取り込み》
端末装置１２のコンテンツ一覧表示部２０はユーザからコンテンツ一覧を表示する要求を受け付けると、コンテンツ一覧を表示する。コンテンツ一覧には、端末装置１２Ａがコンテンツ保存部３２に保存しているコンテンツの他、登録された保管先に保存されているコンテンツも含まれる。
【００４１】
コンテンツ一覧表示部２０はコンテンツ一覧からコンテンツ表示部２４に表示させるコンテンツの選択をユーザから受け付ける。ユーザにより選択されたコンテンツが端末装置１２Ａのコンテンツ保存部３２に保存されているコンテンツであれば、コンテンツ表示部２４はコンテンツ保存部３２からコンテンツを読み出し、後述のコンテンツ閲覧画面に表示する処理を行う。
【００４２】
また、ユーザにより選択されたコンテンツが、登録された保管先に保存されているコンテンツであれば、コンテンツ取り込み部２２は、ユーザにより選択されたコンテンツを登録された保管先である例えば情報処理装置１０から受信する。コンテンツ取り込み部２２は受信したコンテンツをコンテンツ保存部３２に保存する。そして、コンテンツ表示部２４はユーザにより選択されたコンテンツをコンテンツ保存部３２から読み出し、後述のコンテンツ閲覧画面に表示する処理を行う。
【００４３】
《コンテンツの表示とスタンプの編集》
コンテンツ閲覧画面へのコンテンツの表示と、表示されたコンテンツに対するスタンプの編集とは、例えば図６の手順で行われる。図６は第１の実施形態に係るコンテンツ閲覧画面における処理の一例のフローチャートである。
【００４４】
ステップＳ１１において、コンテンツ表示部２４は図７のようなコンテンツ閲覧画面１０００におけるスタンプの表示／非表示を切り替えるＯＮ／ＯＦＦボタン１００３がＯＮであるか否かを判定する。図７はコンテンツ閲覧画面の一例のイメージ図である。図７のコンテンツ閲覧画面１０００はユーザにより選択されたコンテンツの画像１００１と、そのコンテンツの各ページのサムネイルイメージ１００２とを表示している。
【００４５】
ＯＮ／ＯＦＦボタン１００３がＯＮであれば、コンテンツ表示部２４はステップＳ１２に進み、図７に示すように、コンテンツに添付されたスタンプ１００５を表示した状態でコンテンツの画像１００１をコンテンツ閲覧画面１０００に表示する。ＯＮ／ＯＦＦボタン１００３がＯＮでなければ、コンテンツ表示部２４はステップＳ１３に進み、コンテンツに添付されたスタンプ１００５を表示しない状態でコンテンツの画像１００１をコンテンツ閲覧画面１０００に表示する。
【００４６】
また、ステップＳ１４に進み、スタンプ編集部２６は図７のようなコンテンツ閲覧画面１０００におけるスタンプ一覧の表示／非表示を切り替えるＯＮ／ＯＦＦボタン１００４がＯＮであるか否かを判定する。ＯＮ／ＯＦＦボタン１００４がＯＮであれば、スタンプ編集部２６は図８のようにスタンプの一覧画像１１０３が表示されたコンテンツ閲覧画面１１００に遷移する。図８はスタンプの一覧画像が表示されたコンテンツ閲覧画面の一例のイメージ図である。
【００４７】
ステップＳ１６においてユーザがスタンプの一覧画像１１０３のスタンプをタップなどで選択すると、スタンプ編集部２６はステップＳ１７に進み、コンテンツの画像１１０４の例えば中央付近に、選択されたスタンプ１１０５を表示する。ステップＳ１７の処理により、コンテンツ保存部３２にはコンテンツの画像１１０４上に新たに追加されたスタンプ１１０５の付与スタンプ情報が保存される。ステップＳ１７の処理のあと、スタンプ編集部２６はステップＳ１９のスタンプ編集処理を行う。
【００４８】
また、ステップＳ１４において、ＯＮ／ＯＦＦボタン１００４がＯＮでなければ、スタンプ編集部２６はステップＳ１８に進み、コンテンツの画像１１０４上に表示されている例えばスタンプ１１０６がタップなどにより選択されたか判定する。コンテンツの画像１１０４上に表示されている例えばスタンプ１１０６がタップなどにより選択されると、スタンプ編集部２６はステップＳ１９のスタンプ編集処理を行う。
【００４９】
ステップＳ１９のスタンプ編集処理の詳細は後述する。ステップＳ１９のスタンプ編集処理のあと、スタンプ編集部２６はステップＳ２０の処理を行う。また、ステップＳ１６においてユーザがスタンプの一覧画像１１０３のスタンプをタップなどで選択していない場合も、スタンプ編集部２６はステップＳ２０の処理を行う。また、ステップＳ１８においてユーザがコンテンツの画像１１０４上に表示されている例えばスタンプ１１０６を選択していない場合も、スタンプ編集部２６はステップＳ２０の処理を行う。
【００５０】
ステップＳ２０においてスタンプ編集部２６はユーザからコンテンツの画像１１０４の表示を終了する指示を受け付けていなければステップＳ１１に戻り処理を続ける。ユーザからコンテンツの画像１１０４の表示を終了する指示を受け付けていればスタンプ編集部２６は図６のフローチャートの処理を終了する。
【００５１】
ステップＳ１９のスタンプ編集処理において、スタンプ編集部２６は図９のようなコンテンツ閲覧画面１２００に遷移する。図９はスタンプ編集処理中のコンテンツ閲覧画面の一例のイメージ図である。図９のコンテンツ閲覧画面１２００では編集対象のスタンプに枠１２０１が表示される。ユーザは枠１２０１を拡大又は縮小するピンチアウトやピンチインなどの操作により編集対象のスタンプの拡大又は縮小を指示できる。また、ユーザは枠１２０１を移動させるドラッグなどの操作により、編集対象のスタンプの移動を指示できる。
【００５２】
ステップＳ１９のスタンプ編集処理は例えば図１０のフローチャートの手順により行われる。図１０はスタンプ編集処理の一例のフローチャートである。ステップＳ３１においてスタンプ編集部２６は図４の付与スタンプ情報と端末装置１２に予め記憶されている端末装置１２の操作者を識別可能な情報を参照し、編集対象のスタンプの付与者と端末装置１２の操作者とが一致しているか否かを判定する。端末装置１２の操作者を識別可能な情報には、付与スタンプ情報に含まれる付与者の情報と同様にユーザを識別する識別情報以外にユーザが使用する端末装置１２を識別可能な識別情報も含まれる。
【００５３】
編集対象のスタンプの付与者と端末装置１２の操作者とが一致していれば、スタンプ編集部２６はステップＳ３２に進む。スタンプ編集部２６は編集対象のスタンプに対する操作者からの操作を受け付け、操作者からの操作に応じて編集対象のスタンプの移動、拡大又は縮小などの編集処理を行う。スタンプ編集部２６は編集処理に基づき、図４の付与スタンプ情報の付与日時、位置、倍率などを更新する。
【００５４】
一方、編集対象のスタンプの付与者と端末装置１２の操作者とが一致していれば、スタンプ編集部２６はステップＳ３３に進み、図１１に示すようなエラー表示を行う。図１１はエラー表示がされたコンテンツ閲覧画面の一例のイメージ図である。図１１のコンテンツ閲覧画面１３００では、編集対象のスタンプの作成者（付与者）及び更新日時（付与日時）を含むエラー表示画面１３０１が表示されている。
【００５５】
エラー表示画面１３０１により、端末装置１２の操作者は編集対象のスタンプを付与したのが自分でなく、編集対象のスタンプを編集できないと判断できる。また、エラー表示画面１３０１により、端末装置１２の操作者は編集対象のスタンプを付与したユーザ及び付与した日時を特定できる。
【００５６】
《スタンプの登録》
スタンプ保存部３４には、コンテンツ閲覧アプリケーションにプリインストールされている例えば図１２に示すようなデフォルトスタンプが保存されている。図１２はデフォルトスタンプの一例のイメージ図である。図１２に示したデフォルトスタンプは、コンテンツの内容、評価又は状態などを一目で分かり易く表す画像の一例である。
【００５７】
また、端末装置１２の操作者は図１３に示すスタンプ一覧画面１４００から自作スタンプの登録を指示できる。図１３はスタンプ一覧画面の一例のイメージ図である。図１３のスタンプ一覧画面１４００の「＋」ボタン１４０１を押下することで、端末装置１２の操作者は自作スタンプとして登録する画像の取り込み先の選択ボタン１４０２、１４０３を表示する。
【００５８】
選択ボタン１４０２は、フォトライブラリの画像（例えば写真データ等）を自作スタンプとして登録する画像一覧画面へ遷移するボタンである。また、選択ボタン１４０３は、受信したコンテンツに含まれる画像を自作スタンプとして登録する画像一覧画面へ遷移するボタンである。
【００５９】
図１４はフォトライブラリの画像を自作スタンプとして登録する画像一覧画面の一例のイメージ図である。端末装置１２の操作者は図１４の画像一覧画面１５００から選択した画像を自作スタンプとして登録する指示を行うことができる。この際に、選択した画像をスタンプ用にサムネイル画像へ加工（解像度変換やサイズ変更処理など）して登録してもよい。
【００６０】
図１５は受信したコンテンツに含まれる画像を自作スタンプとして登録する画像一覧画面の一例のイメージ図である。端末装置１２の操作者は図１５の画像一覧画面１６００から選択した画像を自作スタンプとして登録する指示を行うことができる。
【００６１】
画像一覧画面１５００又は１６００から画像が選択されると、自作スタンプ登録部２８は図１６に示すスタンププレビュー画面１７００を表示する。スタンププレビュー画面１７００は選択された画像のプレビュー画像１７０１が含まれる。端末装置１２の操作者はスタンププレビュー画面１７００の追加ボタン１７０２を押下することで、選択した画像を自作スタンプとして登録する指示を行うことができる。
【００６２】
《コンテンツ配布》
例えば端末装置１２Ａの保存コンテンツ配布処理部３０は図１７に示すようなコンテンツ閲覧画面１８００のコンテンツ配布ボタン１８０１をユーザにより押下されると、図１８のようなコンテンツ配布画面１９００を表示する。図１７はコンテンツ閲覧画面のコンテンツ配布ボタンの一例について説明する図である。図１８はコンテンツ配布画面の一例のイメージ図である。
【００６３】
コンテンツ配布画面１９００はネットワークＮ２を介して通信可能な端末装置１２Ｂのうち、コンテンツ閲覧アプリケーションが導入済みの端末装置１２Ｂが表示された配布可能デバイス選択欄１９０１が表示される。また、コンテンツ配布画面１９００は、配布するコンテンツの例えば１ページ目のサムネイル画像１９０２が含まれる。端末装置１２Ａの操作者は配布可能デバイス選択欄１９０１からコンテンツを配布する端末装置１２Ｂを選択できる。
【００６４】
保存コンテンツ配布処理部３０は、端末装置１２Ａの操作者により配布可能デバイス選択欄１９０１から選択されたコンテンツを配布する端末装置１２Ｂに、スタンプが付与された状態のコンテンツを配布する。具体的には、コンテンツのデータとコンテンツに付与されたスタンプに対応する付与スタンプ情報を送信する。なお、付与されたスタンプが自作スタンプの場合には、自作スタンプとして登録されているスタンプの画像も一緒に送信する。
【００６５】
一方、端末装置１２Ａの保存コンテンツ配布処理部３０は図１７に示すようなコンテンツ閲覧画面１８００のコンテンツ出力ボタン１８０２をユーザにより押下されると、コンテンツ出力先を選択する画面が表示される。なお、コンテンツ出力先を選択する画面にはコンテンツのファイル形式に対応しているコンテンツ閲覧アプリケーション以外の他のアプリケーションが表示されている。端末装置１２Ａの操作者はコンテンツ出力先を選択する画面から、コンテンツのファイル形式に対応しているコンテンツ閲覧アプリケーション以外の他のアプリケーションを選択する。
【００６６】
保存コンテンツ配布処理部３０は端末装置１２Ａの操作者により選択されたコンテンツ出力先に例えば図１９に示すコンテンツ出力処理を行う。図１９は他のアプリケーションへのコンテンツ出力処理の一例のフローチャートである。
【００６７】
ステップＳ４１に進み、保存コンテンツ配布処理部３０は配布するコンテンツにスタンプが付与されているか判断する。配布するコンテンツにスタンプが付与されていれば、保存コンテンツ配布処理部３０はステップＳ４２に進み、配布するコンテンツからスタンプを削除するスタンプ削除処理を行う。
【００６８】
配布するコンテンツからスタンプを削除したあと、保存コンテンツ配布処理部３０はステップＳ４３に進み、他のアプリケーションへコンテンツを配布する。なお、配布するコンテンツにスタンプが付与されていなければ、保存コンテンツ配布処理部３０はステップＳ４２の処理をスキップし、ステップＳ４３で他のアプリケーションへコンテンツを配布する。
【００６９】
このように、図１９のコンテンツ出力処理によれば、保存コンテンツ配布処理部３０はコンテンツ閲覧アプリケーション以外の他のアプリケーションにコンテンツを配布する場合に、スタンプを削除したコンテンツを配布できる。なお、スタンプの削除処理は必ずしも実行する必要はない。例えばスタンプに対応する付与スタンプ情報は他のアプリケーションへ配布せずに、付与スタンプ情報が付与されていないコンテンツのみを配布するようにしてもよい。
［他の実施形態］
なお、第１の実施形態では、スタンプを扱う機能を有するアプリケーションに対してコンテンツを配布する場合に、スタンプが付与された状態でコンテンツを配布し、それ以外に配布する場合にスタンプを削除した状態でコンテンツを配布している。
【００７０】
例えば他の実施形態として、端末装置１２Ａはコンテンツに付与するスタンプに自分用又は他人用の設定を行えるようにしてもよい。この場合、端末装置１２Ａは、スタンプを扱う機能を有するアプリケーションに対してコンテンツを配布する場合であっても自分用の設定が行われたスタンプが削除された状態でコンテンツを配布する。または、端末装置１２Ａはスタンプを扱う機能を有するアプリケーションに対してコンテンツを配布する場合に、他人用の設定が行われたスタンプを添付した状態でコンテンツを配布する。
【００７１】
また、第１の実施形態では、スタンプを扱う機能を有するアプリケーション以外に対してコンテンツを配布する場合にスタンプを削除しているが、スタンプの画像をコンテンツの画像に埋め込んだ状態（スタンプが編集できない状態）で配布するようにしてもよい。
【００７２】
また、第１の実施形態では、端末装置１２Ａでスタンプを添付したコンテンツを端末装置１２Ｂに配布し、更に、端末装置１２Ｂでスタンプを追加したコンテンツを端末装置１２Ａに配布する場合も想定される。このようなケースにおいて、端末装置１２Ａで添付したスタンプが完全に覆い隠されるように端末装置１２Ｂでスタンプが添付された場合であっても図１０の処理によりエラー表示されないように各スタンプの表示順に対応するレイヤー情報に基づいて、スタンプのレイヤーを切り替えるようにしてもよい。
【００７３】
例えば端末装置１２Ａは、端末装置１２Ａ及び１２Ｂでスタンプが添付されたコンテンツをコンテンツ閲覧アプリケーションで表示する際に、端末装置１２Ａで添付したスタンプのレイヤーを最上位に変更する。
【００７４】
一方、端末装置１２Ｂは、端末装置１２Ａ及び１２Ｂでスタンプが添付されたコンテンツをコンテンツ閲覧アプリケーションで表示する際に、端末装置１２Ｂで添付したスタンプのレイヤーを最上位に変更する。
【００７５】
このようなスタンプのレイヤーを切り替える処理により端末装置１２Ａ及び１２Ｂでは複数人の操作者が重ねてスタンプを添付した場合であっても、操作者により添付されたスタンプの編集処理が可能となる。なお、スタンプのレイヤーを切り替える処理は例えば操作者のロールによりスタンプのレイヤーを分けてもよい。例えば端末装置１２Ａの操作者が上司であり、端末装置１２Ｂの操作者が部下である場合は、端末装置１２Ａで添付されたスタンプのレイヤーを端末装置１２Ｂで添付されたスタンプのレイヤーよりも上位に設定することが考えられる。
【００７６】
（まとめ）
本実施形態の情報処理システム１では、端末装置１２においてコンテンツに付与されたスタンプの編集処理が、自分の付与したスタンプに限定される。また、本実施形態の情報処理システム１では、他人の付与したスタンプを編集しようとすると、そのスタンプを付与した付与者の情報とエラーメッセージとが表示される。
【００７７】
このように、本実施形態の情報処理システム１では、コンテンツに付与されたスタンプの編集が、そのスタンプを付与したユーザに制限されるため、他のユーザに対して何らかの意図を上手く伝えることができるようになる。したがって、本実施形態の情報処理システム１では、コンテンツに付与したスタンプによるコミュニケーションの円滑化・効率化を図ることができる。
【００７８】
本発明は、具体的に開示された上記の実施形態に限定されるものではなく、特許請求の範囲から逸脱することなく、種々の変形や変更が可能である。なお、スタンプは特許請求の範囲に記載した追加画像の一例である。追加画像には例えば付箋や栞を示す画像も含まれる。
【符号の説明】
【００７９】
１    情報処理システム
１０    情報処理装置
１２、１２Ａ、１２Ｂ    端末装置
２０    コンテンツ一覧表示部
２２    コンテンツ取り込み部
２４    コンテンツ表示部
２６    スタンプ編集部
２８    自作スタンプ登録部
３０    保存コンテンツ配布処理部
３２    コンテンツ保存部
３４    スタンプ保存部
３６    保管先保存部
１００    コンピュータ
１０１    入力装置
１０２    表示装置
１０３    外部Ｉ／Ｆ
１０３ａ    記録媒体
１０４    ＲＡＭ（Random Access Memory）
１０５    ＲＯＭ（Read Only Memory）
１０６    ＣＰＵ（Central Processing Unit）
１０７    通信Ｉ／Ｆ
１０８    ＨＤＤ（Hard Disk Drive）
１０００、１１００、１２００、１３００、１８００    コンテンツ閲覧画面
１００１、１１０４    コンテンツの画像
１００２    各ページのサムネイルイメージ
１００３、１００４、１１０１、１１０２    ＯＮ／ＯＦＦボタン
１００５、１１０５、１１０６    スタンプ
１１０３    スタンプの一覧画像
１２０１、１２０２    枠
１３０１    エラー表示画面
１４００、    スタンプ一覧画面
１４０１    「＋」ボタン
１４０２、１４０３    登録する画像の取り込み先の選択ボタン
１５００、１６００    画像一覧画面
１７００    スタンププレビュー画面
１７０１    プレビュー画像
１７０２    追加ボタン
１８０１    コンテンツ配布ボタン
１８０２    コンテンツ出力ボタン
１９００    コンテンツ配布画面
１９０１    配布可能デバイス選択欄
１９０２    １ページ目のサムネイル画像
Ｂ    バス
Ｎ１〜Ｎ２    ネットワーク
【先行技術文献】
【特許文献】
【００８０】
【特許文献１】特開２０１２−１０８８７２号公報
【図１】
2017097792.tif 000003
【図２】
2017097792.tif 000004
【図３】
2017097792.tif 000005
【図４】
2017097792.tif 000006
【図５】
2017097792.tif 000007
【図６】
2017097792.tif 000008
【図７】
2017097792.tif 000009
【図８】
2017097792.tif 000010
【図９】
2017097792.tif 000011
【図１０】
2017097792.tif 000012
【図１１】
2017097792.tif 000013
【図１２】
2017097792.tif 000014
【図１３】
2017097792.tif 000015
【図１４】
2017097792.tif 000016
【図１５】
2017097792.tif 000017
【図１６】
2017097792.tif 000018
【図１７】
2017097792.tif 000019
【図１８】
2017097792.tif 000020
【図１９】
2017097792.tif 000021